(57)【要約】【課題】光ディスクのクランプ機構を簡素化してディスククランパーを押さえる他の部品を不要とし、部品点数や組立工数の削減を可能とした光ディスク装置を提供する。【解決手段】ディスククランパー３を収容保持するホルダー部２の合成樹脂製の環状壁２ａの上端から中央に向かって、ディスククランパー３の中心の凸軸部３ａを上方から押さえる合成樹脂製の押さえ片２ｃを一体に形成した光ディスク装置とし、これによりディスククランパー３を押さえる他の部品を不要とする。押さえ片２ｃは少し前下りとなるように形成するのが良く、凸軸部３ａの頂部にはグリス１４を付着するのがよい。【選択図】図２
2007242176.tif 000002
【特許請求の範囲】
【請求項１】
合成樹脂製のメインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、
上記ホルダー部の合成樹脂製の環状壁の上端から中央に向かって、上記ディスククランパーの中心の凸軸部を上方から押さえる合成樹脂製の押さえ片を少し前下がりとなるように一体に形成し、該凸軸部の頂部にグリスを付着したことを特徴とする光ディスク装置。
【請求項２】
合成樹脂製のメインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、
上記ホルダー部の合成樹脂製の環状壁の上端から中央に向かって、上記ディスククランパーの中心の凸軸部を上方から押さえる合成樹脂製の押さえ片を一体に形成したことを特徴とする光ディスク装置。
【請求項３】
上記押さえ片を少し前下がりとなるように形成した請求項１に記載の光ディスク装置。
【発明の詳細な説明】
【技術分野】
【０００１】
本発明は光ディスク装置に関し、殊に、光ディスクのクランプ機構の簡素化を図った光ディスク装置に関する。
【背景技術】
【０００２】
従来の光ディスク装置は、例えば図４に示すように、合成樹脂製のメインシャーシ１の左右側枠部１ａ，１ａの上端間にブリッジ部１ｂを一体に設け、このブリッジ部１ｂの中央にホルダー部２を形成して、このホルダー部２の内側にディスククランパー３を収容保持すると共に、メインシャーシ１の内側にトラバースシャーシ４を上下揺動可能に取付けて、このトラバースシャーシ４にターンテーブル５をその駆動モータ６と共に搭載している。そして、ブリッジ部１ｂの上にＵ字形の断面を有する金属製のクランププレート７を配置し、このクランププレート７の一端をメインシャーシ１の片側の側枠部に係止させると共に、クランププレート７の他端をメインシャーシ１の反対側の側枠部に引張りバネ８を介して取付けている。
【０００３】
かかる光ディスク装置は、トラバースシャーシ４が上方へ移動すると、ディスククランパー３とターンテーブル５により光ディスクの中央孔の周縁部がチャックされて、光ディスクが回転されるようになっており、この光ディスクのチャック時に、ディスククランパー３の中心の凸軸部がクランププレート７によって引張りバネ８の力で上方から押さえられ、充分なチャック力が与えられるようになっている。
【０００４】
しかしながら、上記の光ディスク装置は、クランププレート７や引張りバネ８を必要とするため、部品点数が増加し、組立工数も増加するという問題があった。
【０００５】
これに対し、クランパーを収容保持するホルダー部の直径方向に板バネを架け渡して両端を固定し、この板バネによってクランパーをボールを介して上方から押さえるようにしたディスククランピング装置が知られている（特許文献１）。また、板バネの一端をプレートに固定し、この板バネでクランパーを押さえるようにしたもの（特許文献２）や、ホルダー部の開口にカバープレートを取付け、このカバープレートに形成した弾性片でクランパーを押さえるようにしたもの（特許文献３）も知られている。
【特許文献１】特許第２６４８４２７号公報
【特許文献２】特開２００３−９１９０４号公報
【特許文献３】特開２００４−１７８６９１号公報
【発明の開示】
【発明が解決しようとする課題】
【０００６】
しかしながら、特許文献１のディスククランピング装置は、板バネやボールを必要とするので、その分だけ部品点数や組立工数が増加し、しかも、板バネの両端の取付作業が簡単でないという問題があった。また、特許文献２や特許文献３の光ディスクも、板バネや、弾性片を形成したカバープレートを必要とするので、やはり部品点数、組立工数の増加を招くという問題があった。
【０００７】
本発明は上記の事情の下になされたもので、光ディスクのクランプ機構を簡素化して、クランププレート、引張りバネ、板バネ、カバープレートなどの部品を不要となし、部品点数や組立工数の削減を可能とした光ディスク装置を提供することを解決課題としている。
【課題を解決するための手段】
【０００８】
上記の課題を解決するため、本発明に係る光ディスク装置は、合成樹脂製のメインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、上記ホルダー部の合成樹脂製の環状壁の上端から中央に向かって、上記ディスククランパーの中心の凸軸部を上方から押さえる合成樹脂製の押さえ片を一体に形成したことを特徴とするものである。
【０００９】
本発明の光ディスク装置においては、上記押さえ片を少し前下がりとなるように形成することが好ましい。
【００１０】
そして、本発明の更に好ましい光ディスク装置は、合成樹脂製のメインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、上記ホルダー部の合成樹脂製の環状壁の上端から中央に向かって、上記ディスククランパーの中心の凸軸部を上方から押さえる合成樹脂製の押さえ片を少し前下がりとなるように一体に形成し、該凸軸部の頂部にグリスを付着したことを特徴とするものである。
【発明の効果】
【００１１】
本発明の光ディスク装置は、ディスククランパーの中心の凸軸部を上方から押さえる合成樹脂製の押さえ片を、ホルダー部の合成樹脂製の環状壁の上端から中央に向かって一体に形成しているため、従来のようにディスククランパーを押さえる他の部品を取付ける必要がなくなり、その分だけ部品点数、組立工数の削減を図ることができる。
【００１２】
特に、合成樹脂製の押さえ片を少し前下がりとなるようにホルダー部の合成樹脂製の環状壁の上端から中央に向かって一体に形成した光ディスク装置は、光ディスクのチャック時にディスククランパーが少し持ち上げられると、押さえ片が少し上向きに弾性変形して実質的に水平状態となり、ディスククランパーの凸軸部の軸心線が押さえ片の凸軸部押圧面に対して実質的に垂直となるため、ディスククランパーの凸軸部は真上から押さえられることになり、斜め上から押さえられる場合のように軸振れを生じる心配が解消される。
【００１３】
そして、更に好ましい光ディスク装置のように、ディスククランパーの凸軸部の頂部にグリスを付着してあると、回転時の摩擦抵抗が小さくなってディスククランパーの回転が一層スムーズになり、凸軸部の頂部や押さえ片の凸軸部押圧面の摩耗が殆ど生じないので耐久性が向上する。
【発明を実施するための最良の形態】
【００１４】
以下、図面を参照して本発明の具体的な実施形態を詳述する。
【００１５】
図１は本発明の一実施形態に係る光ディスク装置の斜視図、図２は光ディスクがチャックされていないときの同光ディスク装置の拡大部分断面図、図３は光ディスクがチャックされているときの同光ディスク装置の拡大部分断面図である。
【００１６】
この光ディスク装置のメインシャーシ１は合成樹脂にて射出成形されたものであって、図１に示すように、その左右の側枠部１ａ，１ａの上端間にはブリッジ部１ｂが一体に形成されており、このブリッジ部１ｂの中央にはホルダー部２が形成されている。
【００１７】
このホルダー部２は、図１、図２、図３に示すように、環状壁２ａの下端に内鍔部２ｂを形成したもので、このホルダーの内側には、ディスククランパー３がその外鍔部３ｂを上記内鍔部２ｂに係止させた状態で収納保持されている。
【００１８】
上記ホルダー部２の合成樹脂製の環状壁２ａの上端には、図２に示すように、ディスククランパー３の中心の凸軸部３ａを上方から押さえる合成樹脂製の押さえ片２ｃが、少し前下がりとなるように環状壁２ａの中央に向かって一体に突設されている。この押さえ片２ｃは、図３に示すように光ディスク９がチャックされてディスククランパー３が少し持ち上げられると、少し上向きに弾性変形して実質的に水平状態となり、ディスククランパー３の凸軸部３ａの軸心線ＣＬが押さえ片２ｃの凸軸部押圧面２ｄに対して実質的に垂直となるため、ディスククランパー３の凸軸部３ａを真上から所定の押圧力で押さえることができるものである。
【００１９】
このディスククランパー３の凸軸部３ａの頂部は、押さえ片２ｃの凸軸部押圧面２ｄと実質的に点接触できるように凸球面に形成されており、この凸軸部３ａの頂部には、回転時の押さえ片２ｃとの摩擦を低減させるためにグリス１４を付着している。
【００２０】
図１に示すように、メインシャーシ１の内側には、トラバースシャーシ４がその後端部において上下揺動可能に取付けられており、このトラバースシャーシ４を上下に揺動させるカムスライダー１０がメインシャーシ１の前枠部の内側に取付けられている。このトラバースシャーシ４には、ターンテーブル５がその駆動モータ６（スピンドルモータ）と共に搭載されており、また、光ピックアップ１１が２本のガイド軸１２，１２（主軸と副軸）に沿ってターンテーブル５に対し接近・離反可能に搭載されている。更に、メインシャーシ１の内側には、光ディスクを載せるトレイ１３がターンテーブル５とディスククランパー３との間に配置されて、前後方向にスライド可能に取付けられている。そして、カムスライダー１０、光ピックアップ１１、トレイ１３を作動させる駆動モータ（不図示）と駆動力伝達歯車機構（不図示）が、メインシャーシ１とトラバースシャーシ４に設置されている。
【００２１】
以上のような構成の光ディスク装置では、図１に示すオープンの状態で光ディスク９をトレイ１３に載せて装置内部へ挿入すると、カムスライダー１０が作動してトラバースシャーシ４が上昇し、図３に示すように、ターンテーブル５とディスククランパー３によって光ディスク９の中央孔の周縁部がチャックされ、駆動モータ６によって光ディスク９が回転する。そして、光ピックアップ１１がガイド軸１２，１２に沿ってターンテーブル５の方へ移動しながら、レーザービームを光ディスク９に照射し、記録・再生が行われる。
【００２２】
このように、ターンテーブル５とディスククランパー３とで光ディスク９をチャックして回転させながら記録・再生を行うと、前述したように、ディスククランパー３の凸軸部３ａが、少し弾性変形して実質的に水平状態になった押さえ片２ｃの凸軸部押圧面２ｄによって真上から押さえられるため、斜め上から押さえられる場合のように軸振れを生じる心配が解消される。しかも、グリス１４が凸軸部３ａの頂部に付着されているので、回転時の摩擦抵抗が小さくなってディスククランパー３の回転が一層スムーズになり、凸軸部３ａの頂部や押さえ片２ｃの凸軸部押圧面２ｄの摩耗が殆ど生じないので耐久性が向上する。
【００２３】
また、この光ディスク装置のように、ディスククランパー３の中心の凸軸部３ａを上方から押さえる合成樹脂製の押さえ片２ｃを、ホルダー部２の合成樹脂製の環状壁２ａの上端から中央に向かって一体に形成していると、従来のようにディスククランパーを押さえる他の部品を取付ける必要がなくなるので、クランプ機構が簡素化され、その分だけ部品点数、組立工数の削減を図ることができるので、製造面及びコスト面で有利である。
【図面の簡単な説明】
【００２４】
【図１】本発明の一実施形態に係る光ディスク装置の斜視図である。
【図２】光ディスクがチャックされていないときの同光ディスク装置の拡大部分断面図である。
【図３】光ディスクがチャックされているときの同光ディスク装置の拡大部分断面図である。
【図４】従来の光ディスク装置の一例を示す斜視図である。
【符号の説明】
【００２５】
１    メインシャーシ
１ａ  メインシャーシの左右側枠部
１ｂ  ブリッジ部
２    ホルダー部
２ａ  ホルダー部の環状壁
２ｃ  押さえ片
３    ディスククランパー
３ａ  凸軸部
４    トラバースシャーシ
５    ターンテーブル
９    光ディスク
１０  カムスライダー
１１  光ピックアップ
１３  トレイ
１４  グリス
【図１】
2007242176.tif 000003
【図２】
2007242176.tif 000004
【図３】
2007242176.tif 000005
【図４】
2007242176.tif 000006